(57)【特許請求の範囲】
【請求項１】
左右の側板の間に複数段の棚板を掛け渡した棚装置において、
前記側板を、木製板からなる側板パネルの前後の端面に形成した上下方向を向く凹溝に、前後１対の支柱をそれぞれ嵌合し、かつ前記両支柱と側板パネルとを、それらを前後方向に貫通するボルトとその先端部に螺合するナットとにより締着したものにより形成したことを特徴とする棚装置。
【請求項２】
前後方向に離間した３本の支柱のそれぞれの間に、木製板からなる側板パネルを、各側板パネルの前後の端面に形成した上下方向を向く凹溝に、各支柱が嵌合するようにして挾み込み、かつそれらを前後方向に貫通するボルトとその先端部に螺合するナットとにより前記３本の支柱とそれらの間の２枚の側板パネルとを互いに締着して、側板を形成したことを特徴とする請求項１記載の棚装置。
【請求項３】
支柱における側板パネルの凹溝より露出した部分を覆うカバーを、前記支柱に着脱自在に設けたことを特徴とする請求項１または２記載の棚装置。
【請求項４】
支柱に装着したカバーと側板パネルとの対向端面間に間隙を設け、この間隙と整合する支柱の側面に、棚板支持用のブラケットを係止する多数の係止孔を上下方向並べて穿設したことを特徴とする請求項３記載の棚装置。
【発明の詳細な説明】
【０００１】
【発明の属する技術分野】
本発明は、図書館や事務所等で使用されて書籍や物品を載せる棚装置に関し、特にその側板の構造に関する。
【０００２】
【従来の技術】
従来、棚装置としては、木質系、鋼材系等各種のものがあるが、大型のものでは、外観のよさと強度の確保の観点から、鋼製部材と木製部材を組み合わせた棚装置が多く用いられている。
鋼製部材と木製部材を組み合わせた棚装置としては、例えば、実公平１ー１８０４３号公報に記載されているようなものがある。
【０００３】
【発明が解決しようとする課題】
この棚装置は、大きな積載重量、長期間使用、乾燥等により変形し反りが生じることを防止するために、側板内面に鋼板を内張りし、この鋼板の内張りにより増大した重量を軽減するために、鋼製支柱を特殊な断面形状の太いものとして、それに、前後に分割して小型とした木製の側板を掛け止めするようにしている。
【０００４】
しかし、上述の従来の棚装置の側板構造は、変形や反りを防止するために木製の側板に内張りした鋼板によって、木質の化粧効果が大きく損なわれるばかりでない。側板が、支柱に掛け止めされて単に木質の化粧として使用されているだけで、棚装置本体の強度部材として用いられていないために、鋼製支柱や、支柱を立てる鋼製脚等の部材に、棚板や積載物ばかりか側板の荷重も一手に受け持たせることになる。そして、鋼製支柱を特殊な断面形状に太くするなどして剛性を高めたり、支柱を極めて堅固に支持する脚部材や、強固な施行組み付け作業を要した。
【０００５】
本発明の目的は、このような問題点を解決するために、木製部材を強度部材として用いることにより、木質の長所を強調しながら、木質部分の反り等の変形をしにくい、剛性の高い側板構造とした棚装置を提供することにある。
【０００６】
【課題を解決するための手段】
本発明によると、上記課題は次のようにして解決される。
(１)  左右の側板の間に複数段の棚板を掛け渡した棚装置において、前記側板を、木製板からなる側板パネルの前後の端面に形成した上下方向を向く凹溝に、前後１対の支柱をそれぞれ嵌合し、かつ前記両支柱と側板パネルとを、それらを前後方向に貫通するボルトとその先端部に螺合するナットとにより締着したものにより形成する。
【０００７】
(２)  上記(１)項において、前後方向に離間した３本の支柱のそれぞれの間に、木製板からなる側板パネルを、各側板パネルの前後の端面に形成した上下方向を向く凹溝に、各支柱が嵌合するようにして挾み込み、かつそれらを前後方向に貫通するボルトとその先端部に螺合するナットとにより前記３本の支柱とそれらの間の２枚の側板パネルとを互いに締着して、側板を形成する。
【０００８】
(３)  上記(１)または(２)項において、支柱における側板パネルの凹溝より露出した部分を覆うカバーを、前記支柱に着脱自在に設ける。
【０００９】
(４)  上記(３)項において、支柱に装着したカバーと側板パネルとの対向端面間に間隙を設け、この間隙と整合する支柱の側面に、棚板支持用のブラケットを係止する多数の係止孔を上下方向並べて穿設する。
【００１０】
【発明の実施の形態】
（実施例１）
本発明の実施例１を図１〜図８を用いて説明する。
実施例１は、図書館等で使用する大型の書棚であり、前後両面から書物を出し入れできる複式の棚装置である。まず、図１〜３を用いて概略の説明をする。
棚装置(１)は、左右端部に１対の側板(２)(３)と、さらに中央にも１個の側板(４)とを有している。この３個の側板(２)(３)(４)は棚装置(１)を床に立てる脚でもある。
【００１１】
３個の側板(２)(３)(４)の間には、天板(５)(５)、１０枚の棚板(６)、左右１対の下部構造棚板(７)(７)が、掛け渡されている。棚板は全部で６段である。この中で、天板(５)(５)、及び下部構造棚板(７)(７)は３個の側板(２)(３)(４)にボルトで強固に固定されている。
【００１２】
強度部材としては、上記の側板(２)(３)(４)、天板(５)(５)、下部構造棚板(７)(７)以外に、鋼製角管を溶接して正面から見て方形枠状に形成された補強枠(８)(８)があり、側板(２)(３)(４)にそれぞれの間の前後方向中央にボルトで固定されている。補強枠(８)は、角管で溶接されているために剛性があり、棚装置(１)が上下で左右にずれる変形を防止する、筋交いの働きをしている。
【００１３】
各棚板(６)の上には、本の倒れを防ぐ多くのブックサポート(９)が設けられており、また、棚装置(１)が書物を前後両面から出し入れできるよう２列に並べるのに必要なブックストッパ(10)が、棚板(６)の前後中央に設けられている。
側板(３)の上部にある(11)は、図書の分類番号等を入れるカード入れである。
【００１４】
次に、側板の構造を中心に、細部構造を図４〜図８を用いて説明する。
先ず、本発明の主題を成している中間用側板(４)の構造について説明する。
側板３個のうちの中間位置にある側板(４)は、その主な構成部品として、前後に並ぶ２枚の側板パネル(12)(12)と、２枚の側板パネル(12)(12)に対して、その前後の端面にほぼ同じ高さで接して立つ１対の前後端支柱(13)(13)と、中央にほぼ同じ高さで立ち２枚の側板パネル(12)(12)をつなぐ中間支柱(14)と、上下の端面に接し結合する上下１対の横補強材(15)(16)とを有している。
【００１５】
側板パネル(12)は、木製板からなり、木質系パネルとしての美観とともに、適度の厚みと必要な強度を有しており、さらに、その前後の端面及び上下の端面には、外周を１周する角溝状の凹溝(17)が形成されている。ただし図で明らかなように、凹溝(17)の溝幅は同じでも、深さは前後、上下で異なっている。
前後端支柱(13)は、鋼製角管からなり、その長さは側板パネル(12)の上下の凹溝(17)の底から底までの長さに等しく、側板パネル(12)の前後の端面の凹溝(17)に前後方向の約半分を埋めて嵌合している。
【００１６】
中間支柱(14)もまた、鋼製角管からなり、その長さは前後端支柱(13)と同じであり、前後にある２個の側板パネル(12)(12)の前後の端面の凹溝(17)(17)に嵌合し、挟み付けられている。中間支柱(14)の断面形状は同じ角形で同じ幅だが、前後方向長さは前後端支柱(13)よりも大きくし、側板パネル(12)(12)が中間支柱(14)をその凹溝(17)(17)の底面で挟みつけた時に、側板パネル(12)(12)の端面間では大きな間隙が形成されるようにしてある。
【００１７】
その大きな間隙に面した中間支柱(14)の側面には、前後方向中心位置で高さ方向中央部に方形の補強枠(８)を取り付けるための２個のボルト孔(18)と、補強枠(８)の前後両側で棚板(６)を掛け渡す棚ブラケット(19)を係止させるための係止孔(20)の列を片側で２列、両側面で計４列上下方向に向けて設けている。
【００１８】
さらに、上下１対の横補強材(15)(16)も、鋼製角管からなり、その長さは２個の側板パネル(12)(12)が中間支柱(14)を挟み付けている時の前後の凹溝(17)(17)の底から底までの長さに等しく、２個の側板パネル(12)(12)の上下の端面の凹溝(17)(17)に全部を嵌合させている。
【００１９】
以上の部品は、次のように組み立てられ結合されて、１個の中間用側板(４)となる。２枚の側板パネル(12)(12)の凹溝(17)(17)に対して、１対の前後端支柱(13)(13)、中間支柱(14)、上下１対の横補強材(15)(16)が嵌め込まれて、１対の前後端支柱(13)(13)と上下１対の横補強材(15)(16)が作り出す４個のコーナー部で、それらの開口孔に４個のＬ形コーナー連結部材(21)を差し込んで、前後端支柱(13)側の差込部を２個のボルトで固定し、連結する。
【００２０】
さらに、前後につながった１対の前後端支柱(13)(13)と２個の側板パネル(12)(12)と中間支柱(14)とを前後方向に貫通する上下２個のボルト孔と、上部の前後１対のＬ形コーナー連結部材(21)(21)と上横補強材(15)とを前後方向に貫通する１個のボルト孔とに、３個の長いボルト(22)を貫通させ、ナット(22a) と締め込む。その前に、上下１対の横補強材(15)(16)をそれぞれ２本のボルト(23)で中間支柱(14)の上下の端面にねじ込み固定しておく。
【００２１】
かくして、中間用側板(４)の本体部が組み上がる。これは、長期間に耐える充分な強度を持つものであり、変形も反りもしにくいものである。
さらに、中間用側板(４)は木製としての美観もよく考えている。すなわち、前端支柱(13)の前側と後端支柱(13)の後ろ側とに上下に長い前後カバー(24)(24)を被せて、中間用側板(４)を組立結合しているボルト(22)の頭とナット(22a) 等を覆うようにしている。前後端支柱(13)への前後カバー(24)の取り付けは、図示を省略したが、例えば、支柱(13)に設けた孔に前後カバー(24)に設けたフックを係止させて行うのがよい。
【００２２】
また、中間支柱(14)の両側面の前後方向の中心部には補強枠(８)を取り付けるための露出部があるが、この部分には上下に長い横カバー(25)(25)を被せている。また、上横補強材(15)の上面には上部カバー(26)(27)を被せている。
【００２３】
ここで、前後端支柱(13)(13)に前後カバー(24)(24)を被せた場合に、前後カバー(24)と側板パネル(12)との端面間に間隙が形成されるようにしてあり、その間隙に位置する前後端支柱(13)(13)の側面には、棚ブラケット(19)を係止させるための係止孔(20)の列を両面に１列づつ上下に並べて設けている。
【００２４】
このために、前後カバー(24)(24)、横カバー(25)(25)、上部カバー(26)(27)により、各支柱等は、幅の狭い係止孔(20)の列の部分のみを残して、金属面を隠されることになる。無論、カバー類は引き抜き材も使われているが、木質感の色彩を施すのがよい。
なお、下部の前後１対のＬ形コーナー連結部材(21)(21)の下面には、雌ねじを加工し、棚装置(１)の水平を出すための２個のアジャスタ(28)の雄ねじ部をねじ込んでいる。
【００２５】
次に、左右の端部にある１対の側板(２)(３)の構造を説明する。端部用側板(２)(３)の場合は、中間用側板(４)と異なり、棚板(６)を取り付けるのは内側の１面のみであるから、外側面でより多く木質感を出せる構造としている。
【００２６】
端部用側板(３)は、主な構成部品として、前後に並ぶ２個の内側側板パネル(29)(29)と、その内側側板パネル(29)(29)の前後の端面に同じ高さで接する１対の前後端支柱(13)(13)と、２枚の内側側板パネル(29)(29)に挟まれてそれらをつなぐ中間支柱(14)と、同じく上下の端面に接して結合する上下１対の横補強材(15)(16)と、これらの部品の組まれた状態のものに対して外側から被さって嵌まりながら重なる外側側板パネル(30)とを有している。
【００２７】
上記部品のうち前後端支柱(13)(13)、中間支柱(14)、横補強材(15)(16)は、中間用側板(４)のものと同じものである。
内側側板パネル(29)は、木製板からなり、その前後及び上下の端面に、その内側側面に沿って外周を１周して外方に突き出ている板状の突部(31)を有している。ただし突部(31)の高さは端面によって異なる。内側側板パネル(29)の形状は、中間用側板(４)の側板パネル(12)から、その端面で凹溝(17)を形成している横壁の厚さでその横壁を含んで１方の側面を削り落としたのと同じである。
【００２８】
外側側板パネル(30)は、中央に広くくぼんだ平らな面を有しており、前述の内側側板パネル(29)(29)、前後端支柱(13)(13)、中間支柱(14)、横補強材(15)(16)を組み付けて、それらを中間用側板(４)と同様に、４個のＬ形コーナー連結部材(21)と、前後方向を向くボルト(22)とナット(22a) 、及びその他のボルトにより締め付けたものをくぼんだ面内に収容して、前後と上の３方をぴったり囲んで（ただしボルト(22)の頭、ナット(22a) 等の部分のみは肉を逃がしている）、下方のみは開放しており、内側側板パネル(29)の板状の突部(31)と外側側板パネル(30)のくぼんだ平らな面とで、前後端支柱(13)(13)、中間支柱(14)、横補強材(15)(16)の側面を挟み付け、内側側板パネル(29)と外側側板パネル(30)とを２本のボルト(32)(32)を内側から通して、ねじ止めしている。
【００２９】
外側側板パネル(30)は、厚みを増し、前後コーナー部に勾配を付け、化粧板として美観を増している。その美観のために、前述のボルト(32)のためのねじ孔は、外側側板パネル(30)の外側面までは貫通していない。
内側側板パネル(29)(29)、前後端支柱(13)(13)、中間支柱(14)、横補強材(15)(16)の組付けは、中間用側板(４)の場合と全く同じであり、４個のＬ形コーナー連結部材(21)(21)、３本の長いボルト(22)とその他のボルトで行われる。
【００３０】
外側側板パネル(30)は、中間用側板(４)の前後カバー(24)(24)、横カバー(25)(25)、上部カバー(26)(27)と同じに支柱等の金属を覆い隠す機能を有しているから、これらの部品を必要としない。ただし、中間支柱(14)の内側面を覆うための横カバー(25)１個と、新たに前後端支柱(13)(13)の一部（係止孔(20)の列より前後外側部分）を覆うために端部横カバー(33)２個とを設けている。これで、各支柱等は、幅の狭い係止孔(20)の列の部分のみを残して、金属面を隠されることになる。
【００３１】
なお、中間用側板(４)と同じように、下部の前後１対のＬ形コーナー連結部材(21)(21)の下面には、雌ねじを加工し、棚装置(１)の水平を出すための２個のアジャスタ(28)の雄ねじ部をねじ込んでいる。
【００３２】
次に、この側板(２)(３)(４)を用いての棚装置全体の組立について説明する。これら３個の側板(２)(３)(４)とともに強度部材として、それらの間を横に結合する天板(５)(５)、下部構造棚板(７)(７)が必要であり、さらに実施例１の特徴の１つとして、方形枠状に形成された補強枠(８)(８)が組み込まれる。
【００３３】
天板(５)は、上部構造棚板(34)、化粧天板(35)と、上部構造棚板(34)の前後端面を覆う前後天板カバー(36)(36)とからなっている。
上部構造棚板(34)は、強度部材としての主体となるものであり、鋼板を溶接して形成されており、中間用側板(４)に対しては２個の中間用連結金具(37)と、端部用側板(３)に対しては２個の端部用連結金具(38)とを用いて、ボルト締めされ、結合されている。
化粧天板(35)は木製である。
前後天板カバー(36)(36)は、書籍分類や内容等を記した名札を差し込むものであり、引き抜き材または合成樹脂材を使用している。
【００３４】
下部構造棚板(７)は、鋼板製であり、上部構造棚板(34)と同様に、中間用側板(４)に対しては２個の中間用連結金具(37)と、端部用側板(３)に対しては２個の端部用連結金具(38)とを用いて、ボルト締めされ、結合されている。また、下部構造棚板(７)は、前後端面の金属面を前後２個の底板カバー(39)で覆われている。
【００３５】
さらに、実施例１の特徴の１つである補強枠(８)は、鋼製角管を溶接して正面から見て方形枠状に形成されたものであり、剛性が高く、これが中間用側板(４)側の中間支柱(14)に対しては２組の長寸のボルト(40)(40)とナット(41)(41)とにより、端部用側板(３)側の中間支柱(14)に対してはボルト(42)(42)により、横カバー(25)(25)を介して、ねじ締め固定されている。
【００３６】
これが結合された結果として、補強枠(８)の筋交いの機能により、棚装置(１)は、上下で左右にずれる変形のしにくい剛性の高いものとなる。
補強枠(８)はもう１つの機能を持っている。即ち、棚装置を側板を上下につなぐことにより背を高くする場合に、単に２個の側板の上下端でつなぐだけでは剛性の弱いものになってしまうが、方形枠状の補強枠(８)を、上下につないだ２枚の側板にまたがって位置させ、上下及び左右の４個の側板に同時に固定させることにより、上下につないだ棚装置を剛性の高いものとすることができる（図示省略）。
【００３７】
棚板(６)は、図８に示すように、中間支柱(14)に対してその多数の係止孔(20)のいずれかに棚ブラケット(19)を係止させ、その棚ブラケット(19)により保持される。
実施例１の前後両面から書物を出し入れできる複式の棚装置では、係止孔(20)の列は、前後端支柱(13)(13)にそれぞれ１列、中間支柱(14)に２列、合計４列あり、棚板(６)は前後に２枚取り付けられる。
【００３８】
（実施例２）
実施例２を図９を参照して説明する。実施例２も図書館等で使用する大型の書棚であるが、こちらは、後面を建物の壁に向けて、書物の出し入れを前面のみから行うために、書物を前面１列に積載する単式の棚装置である。
【００３９】
この場合当然、棚装置の前後の寸法（奥行き）を実施例１の場合よりも小さくできる。このために実施例２では、実施例１で用いた次の部品を共用しながら、側板パネルの数を１個とすることにより、奥行きを小さくする。側板に関係する主な部品としては、側板パネル(12)、前端支柱(13)、前カバー(24)、棚板(６)、内側側板パネル(29)、横端部カバー(33)である。
【００４０】
新しく作る必要のある部品は後端支柱(51)、上下の横補強材（図示省略）、後カバー(52)、上部カバー（図示省略）、外側側板パネル(53)である。側板パネル(12)、内側側板パネル(29)は１つの側板のなかで１個でよいため、中間支柱(14)が不要となっている。
【００４１】
なお、実施例２は後面に背板Ａ(54)、背板Ｂ(55)を有している。
中間用側板(56)、端部用側板(57)の組立結合方式は、実施例１と全く同じであり、中心となる側板パネル(12)（または内側側板パネル(29)）、前後端支柱(13)(51)、上下の横補強材（図示省略）の結合は、図示を省略したが、４個のＬ形コーナー連結部材(21)、前後に貫通する複数の長いボルト等を使用しての結合である。
【００４２】
側板の強度、耐久性、木質の美観については、実施例１と同様に充分ある。
説明を複式の実施例１、単式の実施例２の順序で述べたが、実際の考え方はこの逆であり、先ず、単式の実施例２の棚装置があって、次に複式の実施例１の棚装置に単式のものの主要部品の共用化を図ったと考えるべきである。
【００４３】
この場合に、本発明は側板パネル(12)（または内側側板パネル(29)）の２個連結に限定されるものではなく、用途によって棚装置の奥行きをもっと大きくしたい時には、側板パネルと内側側板パネルを３個以上連結することにも適用される。
【００４４】
【発明の効果】
本発明によれば、次の効果を生じる。
(１)  請求項１の構造とすると、側板を構成する木質系の側板パネルと支柱とが一体的に結合されて、全体として反り、変形のない剛性の高い側板とすることができる。また、木質系の側板パネルを化粧材としてだけではなく、強度部材として用いているから、その分、支柱等を細くすることができ、全体の重量を軽減することができるとともに、木質でない支柱を目立たせず、木質の良さを十分強調することができる。
したがって、特に、図書館等の大型書棚等として最適である。
【００４５】
(２)  請求項２の構造とすると、前後から書籍等を出入れする棚装置にも本発明を適用することができ、その場合に、側板パネルと支柱の数を増やすことにより、強度、木質の美観を損なうことなく対応することができるとともに、部品の共用化を図り、コストダウンにも資することができる。
【００４６】
(３)  請求項３の構造とすると、木質系でない支柱をカバー部材で覆い、木質系の美観を増大させることができる。
(４)  請求項４の構造とすると、木質系でない支柱の露出部分を、どうしても必要な棚板支持用のブラケットを係止するための係止孔の列の狭い範囲に限定することができて、木質系の美観に資することができる。
【図面の簡単な説明】
【図１】本発明の実施例１の複式の棚装置の正面図である。
【図２】同じく側面図である。
【図３】同じく平面図である。
【図４】同じく端側側板取付部分の分解斜視図である。
【図５】同じく中間側板取付部分の分解斜視図である。
【図６】図１のＡ−Ａ線による拡大横断平面図である。
【図７】図１のＢ−Ｂ線による拡大縦断側面図である。
【図８】棚板取付部の拡大縦断正面図である。
【図９】本発明の実施例２の単式の棚装置の要部の横断平面図である。
【符号の説明】
(１)  棚装置
(２)(３)(57)  端部側板
(４)(56)  中間用側板
(５)  天板
(６)  棚板
(７)  下部構造棚板
(８)  補強枠
(９)  ブックサポート
(10)  ブックストッパ
(11)  カード入れ
(12)  側板パネル
(13)  前後端支柱
(14)  中間支柱
(15)(16)  横補強材
(17)  凹溝
(18)  ボルト孔
(19)  棚ブラケット
(20)  係止孔
(21)  コーナー連結部材
(22)(23)(32)(42)  ボルト
(22a) ナット
(24)  前後カバー
(25)  横カバー
(26)(27)  上部カバー
(28)  アジャスタ
(29)  内側側板パネル
(30)(53)  外側側板パネル
(31)  突部
(33)  端部横カバー
(34)  上部構造棚板
(35)  化粧天板
(36)  前後天板カバー
(37)  中間用連結金具
(38)  端部用連結金具
(39)  底板カバー
(40)  特殊ボルト
(41)  特殊ナット
(52)  後カバー
(54)(55)  背板
【図１】
0003653643.tif 000002
【図２】
0003653643.tif 000003
【図３】
0003653643.tif 000004
【図４】
0003653643.tif 000005
【図５】
0003653643.tif 000006
【図６】
0003653643.tif 000007
【図７】
0003653643.tif 000008
【図８】
0003653643.tif 000009
【図９】
0003653643.tif 000010